(57)【要約】【課題】マイナスイオン電極と対向電極との間で異常放電が発生することを防止し、マイナスイオン発生器の放電部からのマイナスイオンの放出を良好に行なわせ、室内の空気の清浄化を促進する。【解決手段】カバー１１に取付けられたマイナスイオン電極１２とこのマイナスイオン電極１２の放電部１４が対向する対向電極とを有するマイナスイオン発生器が室内機筐体内に設けられた空気調和機において、マイナスイオン電極１２の一部にこのマイナスイオン電極１２をカバー１１に取付ける部位となる取付部１７を設け、この取付部１７と対向電極との距離を放電部１４と対向電極との距離より大きくした。【選択図】    図３
2011208835.tif 000002
【特許請求の範囲】
【請求項１】
カバーに取付けられたマイナスイオン電極とこのマイナスイオン電極の放電部が対向する対向電極とを有するマイナスイオン発生器が室内機筐体内に設けられた空気調和機において、
前記マイナスイオン電極の一部にこのマイナスイオン電極を前記カバーに取付ける部位となる取付部を設け、この取付部と前記対向電極との距離を前記放電部と前記対向電極との距離より大きくしたことを特徴とする空気調和機。
【請求項２】
前記マイナスイオン電極にマイナス電位の電圧を印加する電源が前記カバーに取付けられ、前記電源には前記マイナスイオン電極に接続されるファストン端子が設けられていることを特徴とする請求項１記載の空気調和機。
【発明の詳細な説明】
【技術分野】
【０００１】
本発明は、空気調和機に関し、特に、室内の空気中の浮遊粒子を捕集する機能を備えた空気調和機に関する。
【背景技術】
【０００２】
室内の冷暖房を行なうとともに室内の空気中の浮遊粒子を捕集する機能を備えた空気調和機が知られており、例えば、下記特許文献１に記載されている。なお、空気中の浮流粒子としては、例えば、塵埃や花粉等が含まれる。
【０００３】
下記特許文献１に記載された空気調和機には、空気調和機を構成する室内機内にマイナスイオン発生器が設けられている。マイナスイオン発生器は、マイナス電位の高電圧が印加されるマイナスイオン電極と、マイナスイオン電極に対向して位置するとともにアース電位とされた対向電極とを備えている。対向電極としては、例えば、室内熱交換器やエアフィルタが用いられている。
【０００４】
このような空気調和機の運転時にマイナスイオン発生器が駆動されると、マイナスイオン電極から対向電極に向けてマイナスイオンが放出され、放出されたマイナスイオンが空気中の浮流粒子に荷電し、マイナスイオンが荷電した浮流粒子が対向電極に付着する。これにより、室内の空気中の浮流粒子が減り、室内の空気の清浄化を図ることができる。
【０００５】
つぎに、特許文献１に記載されたマイナスイオン発生器の構造について、図６及び図７を参照して説明する。
【０００６】
マイナスイオン発生器１００は、樹脂製のカバー１０１と、カバー１０１に取付けられた金属製のマイナスイオン電極１０２と、マイナスイオン電極１０２と対向する対向電極として機能する室内熱交換器（図示せず）とを備えている。マイナスイオン電極１０２は、平らな平面部１０３を有し、平面部１０３の周縁部には外周方向に突出した複数の放電部１０４が形成されている。カバー１０１に取付けられたマイナスイオン電極１０２は、平面部１０３が室内熱交換器の表面に対向するように配置されている。
【０００７】
カバー１０１へのマイナスイオン電極１０２の取付けは、カバー１０１に形成された樹脂製の複数の突起１０５を、マイナスイオン電極１０２に形成された複数の取付穴１０６に差し込み、取付穴１０６に差し込んだ突起１０５の先端部を加熱してつぶすことにより行なわれている。なお、図６及び図７は、突起１０５を取付穴１０６に差し込み、取付穴１０６に差し込んだ突起１０５の先端部をつぶす前の状態を示している。
【先行技術文献】
【特許文献】
【０００８】
【特許文献１】特開２００９−５２８４４号公報
【発明の概要】
【発明が解決しようとする課題】
【０００９】
しかしながら、取付穴１０６に差し込んだ突起１０５の先端部を加熱してつぶすことによりマイナスイオン電極１０２をカバー１０１に取付けた場合、つぶされた突起１０５の先端部がマイナスイオン電極１０２の平面部１０３より盛り上がる。
【００１０】
すると、マイナスイオン電極１０２の平面部１０３より盛り上がった突起１０５の先端部から異常放電が発生する場合がある。突起１０５の先端部から異常放電が発生すると、マイナスイオン電極１０２の放電部１０４からのマイナスイオンの放出が行なわれなくなり、放電部１０４からマイナスイオンを放出することに伴なう室内の空気の清浄化が困難になる。
【００１１】
本発明はこのような課題を解決するためになされたもので、その目的は、マイナスイオン電極と対向電極との間で異常放電が発生することを防止し、マイナスイオン発生器の放電部からのマイナスイオンの放出を良好に行なわせ、室内の空気の清浄化を促進することである。
【課題を解決するための手段】
【００１２】
本発明の実施の形態に係る第１の特徴は、カバーに取付けられたマイナスイオン電極とこのマイナスイオン電極の放電部が対向する対向電極とを有するマイナスイオン発生器が室内機の筐体内に設けられた空気調和機において、前記マイナスイオン電極の一部にこのマイナスイオン電極を前記カバーに取付ける部位となる取付部を設け、この取付部と前記対向電極との距離を前記放電部と前記対向電極との距離より大きくしたことである。
【発明の効果】
【００１３】
本発明によれば、マイナスイオン電極と対向電極との間で異常放電が発生することを防止することができ、マイナスイオン電極の放電部からのマイナスイオンの放出を良好に行なわせて室内の空気の清浄化を促進することができる。
【図面の簡単な説明】
【００１４】
【図１】本発明の一実施の形態の空気調和機の室内機を示す縦断側面図である。
【図２】室内機の一部を示す斜視図である。
【図３】マイナスイオン発生器におけるカバーへのマイナスイオン電極の取付構造を示す正面側斜視図である。
【図４】その背面側斜視図である。
【図５】カバーから高圧電源を外した状態を示す背面側斜視図である。
【図６】従来例のマイナスイオン発生器におけるカバーへのマイナスイオン電極の取付構造を示す斜視図である。
【図７】その正面図である。
【発明を実施するための形態】
【００１５】
本発明の一実施の形態を図１ないし図５に基づいて説明する。空気調和機は、室内に設置される室内機１と、室外に設置される室外機（図示せず）と、室内機１と室外機との間に配管された冷媒配管（図示せず）等により構成されている。
【００１６】
図１に示すように、室内機１は室内機筐体２を有し、この室内機筐体２内に、室内熱交換器３、送風ファン４、エアフィルタ５、エアフィルタ清掃部６、マイナスイオン発生器７等が設けられている。
【００１７】
室内機筐体２の前面側と上面側とには、室内の空気が室内機筐体２内に吸込まれる吸込口８が形成され、室内機筐体２の下部には吸込まれた空気が吹出す吹出口９が形成されている。吹出口９には回動式のルーバ１０が設けられている。
【００１８】
室内熱交換器３は、内部を冷媒が流れ、室内機筐体２内に吸込まれた空気と冷媒との間で熱交換が行なわれる。
【００１９】
送風ファン４は、図示しないモータにより駆動されて回転し、室内の空気を吸込口８から室内機筐体２内に吸い込み、吸込んだ空気を室内熱交換器３の周囲を通過させて吹出口９から室内に吹出させる。室内機筐体２内に吸込まれた空気が室内熱交換器３の周囲を通過する場合に、冷媒との間での熱交換が行なわれる。
【００２０】
エアフィルタ５は、吸込口８と室内熱交換器３との間に配置され、吸込口８から室内機筐体２内に吸込まれた空気がエアフィルタ５を通過する場合に、この空気中に含まれている塵埃等を捕集する。
【００２１】
エアフィルタ清掃部６は、エアフィルタ５への塵埃の付着状態を検出したセンサの検出結果に基づいて、又は、空気調和機の使用者の手動操作に基づいてエアフィルタ４を移動させ、エアフィルタ４の移動時にエアフィルタ４に捕集されている塵埃等を除去する。
【００２２】
マイナスイオン発生器７は、室内機筐体２内に吸込まれた空気中に含まれていた浮流粒子であってエアフィルタ５を通過したものを捕集する装置である。このマイナスイオン発生器７は、カバー１１、カバー１１に取付けられたマイナスイオン電極１２、カバー１１に取付けられた電源である高圧電源１３、マイナスイオン電極１２に設けられた放電部１４に対向する対向電極として機能する室内熱交換器３等により構成されている。なお、対向電極として機能する室内熱交換器３の電位はアース電位とされている。
【００２３】
カバー１１は樹脂により形成された部品であり、このカバー１１にはマイナスイオン電極１２と高圧電源１３とが取付けられている。マイナスイオン電極１２と高圧電源１３とが取付けられたカバー１１は、室内機筐体２に取付けられている。カバー１１を室内機筐体２に取付けた場合、マイナスイオン電極１２が対向電極として機能する室内熱交換器３に対向する。
【００２４】
マイナスイオン電極１２は、導電性部材である金属により形成され、平らな平面部１５と、平面部１５の周縁部に形成されて外周方向に突出した複数の放電部１４と、マイナスイオン電極１２をカバー１１にネジ止めするネジ１６が取付けられる取付部１７とを有している。
【００２５】
取付部１７は、マイナスイオン電極１２が取付けられたカバー１１を室内機筐体２に取付けた場合、取付部１７と対向電極として機能する室内熱交換器３との距離が、放電部１４と対向電極として機能する室内熱交換器３との距離より大きくなるように形成されている。そして、取付部１７に取付けられたネジ１６の頭と室内熱交換器３との距離も、放電部１４と室内熱交換器３との距離より大きくなっている。
【００２６】
高圧電源１３は、カバー１１に取付けられ、マイナスイオン電極１２に接続されてこのマイナスイオン電極１２に対してマイナス電位の高電圧を印加する。高圧電源１３から伸び出したリード線１８の先端部にはファストン端子１９が接続されている。このファストン端子１９は、マイナスイオン電極１２の接続端子２０と着脱可能に接続されている。
【００２７】
このような構成において、空気調和機の運転時には、送風ファン４が駆動されることにより室内の空気が吸込口８から室内機筐体２内に吸込まれ、吸込まれた空気は室内熱交換器３により熱交換されて温風又は冷風となり、吹出口９から室内に吹出す。
【００２８】
室内機筐体２内に吸込まれた空気中に含まれている塵埃は、その空気がエアフィルタ５を通過する際にエアフィルタ５により捕集される。
【００２９】
なお、空気中の浮遊粒子であってエアフィルタ５により捕集不可能な小さいサイズのものを捕集する場合には、マイナスイオン発生器７を駆動させる。
【００３０】
マイナスイオン発生器７を駆動させると、高圧電源１３からマイナスイオン電極１２に対してマイナス電位の高電圧が印加され、マイナスイオン電極１２の放電部１４からマイナスイオンが放出される。放出されたマイナスイオンは空気中の浮流粒子に荷電し、マイナスイオンが荷電した浮流粒子が対向電極として機能する室内熱交換器３の表面に付着する。これにより、室内の空気中の浮流粒子を減らすことができ、室内の空気の清浄化を図ることができる。
【００３１】
ここで、マイナスイオン電極１２をカバー１１にネジ止めする取付部１７は、マイナスイオン電極１２が取付けられたカバー１１を室内機筐体２に取付けた場合、取付部１７と室内熱交換器３との距離が、放電部１４と室内熱交換器３との距離より大きくなるように形成されている。さらに、取付部１７に取付けられたネジ１６の頭と室内熱交換器３との距離も、放電部１４と室内熱交換器３との距離より大きくなっている。このため、マイナスイオン電極１２に高電圧を印加した場合、ネジ１６の頭と室内熱交換器３との間で異常放電が発生することを防止することができるとともに、放電部１４からのマイナスイオンの放出を良好に行なわせることができる。したがって、放電部１４からマイナスイオンを放出させることによる室内の空気の清浄化を促進することができる。
【００３２】
また、高圧電源１３とマイナスイオン電極１２の接続は、高圧電源１３のリード線１８に設けたファストン端子１９をマイナスイオン電極１２の接続端子２０に嵌合させることにより行なわれている。このため、高圧電源１３とマイナスイオン電極１２との接続箇所においてネジ止め等を行なう必要がなく、部品点数の削減、組立工程数の削減を図ることができる。
【符号の説明】
【００３３】
２…室内機筐体、３…対向電極（室内熱交換器）、７…マイナスイオン発生器、１１…カバー、１２…マイナスイオン電極、１３…電源（高圧電源）、１４…放電部、１７…取付部、１９…ファストン端子
【図１】
2011208835.tif 000003
【図２】
2011208835.tif 000004
【図３】
2011208835.tif 000005
【図４】
2011208835.tif 000006
【図５】
2011208835.tif 000007
【図６】
2011208835.tif 000008
【図７】
2011208835.tif 000009